(57)【要約】【課題】放送番組の視聴状況をより正確に反映した番組視聴情報データが得られる放送受信装置を提供する。【解決手段】放送受信装置１２は、デジタル放送受信アプリケーションを実行して、放送波またはＷＥＢから入手したＥＰＧ情報、手入力した日付時間およびチャンネル指定から番組を視聴予約または録画予約し、視聴予約または録画予約した番組の番組ＩＤ、日付、開始時間、終了時間、録画の有無などからなる番組予約情報を保存し、保存した番組予約情報をコンピュータセンター１３に送信する。【選択図】図１
2007228536.tif 000002
【特許請求の範囲】
【請求項１】
放送番組を受信する受信手段と、
ユーザによる放送番組の受信予約を受け付ける受付手段と、
前記受付手段で受信予約を受け付けた放送番組の識別情報を記憶する記憶手段と、
放送番組の予約率を集計するセンターに、前記記憶手段に記憶された前記識別情報を送信する送信手段と、
前記識別情報の前記記憶手段への記憶、および該識別情報の前記センターへの送信を制御する制御手段と、
を備える放送受信装置。
【請求項２】
前記制御手段は、前記受付手段で受信予約を受け付けた放送番組の識別情報を、前記センターへ送信するか否かをユーザに選択させる請求項１に記載の放送受信装置。
【請求項３】
前記受付手段において、前記受信予約された放送番組の予約取り消しを受け付けると、前記制御手段は、前記受付手段で予約取り消しを受け付けた放送番組の識別情報を前記記憶手段から削除し、該放送番組の受信予約を取り消した旨の通知を前記センターに送信する請求項１または２に記載の放送受信装置。
【請求項４】
前記受信予約は、視聴予約である請求項１〜３のいずれかに記載の放送受信装置。
【請求項５】
前記視聴予約を受け付けた放送番組が視聴されると、前記制御手段は、該放送番組が視聴された旨の通知を前記センターに送信する請求項４に記載の放送受信装置。
【請求項６】
前記受信予約は、録画予約である請求項１〜３のいずれかに記載の放送受信装置。
【請求項７】
前記録画予約を受け付けた放送番組が録画され、再生されると、前記制御手段は、該放送番組が録画、再生された旨の通知を前記センターに送信する請求項６に記載の放送受信装置。
【請求項８】
前記制御手段は、前記録画、再生された放送番組の再生開始日時を示す情報を前記センターに送信する請求項７に記載の放送受信装置。
【発明の詳細な説明】
【技術分野】
【０００１】
本発明は、放送番組を視聴予約または録画予約できる放送受信装置に関する。
【背景技術】
【０００２】
視聴率データは、広告主・広告会社・テレビ局が広告取引をする際に、テレビの媒体力やテレビコマーシャルの広告効果を測る１つの指標として利用されており、視聴者がよく見る番組や視聴者がテレビを良く見る時間帯を知ることで、番組制作・番組編成に役立てる参考データとしても活用されたり、プロ野球とサッカー中継の視聴率比較や、大事件が起きた場合の特別番組などの視聴率から、国民の関心の高さを探ったり、視聴率の移り変わりから社会の動きを知る、といった社会調査的な側面で利用されることもある。
【特許文献１】特開２００５−３４１４７９号公報
【発明の開示】
【発明が解決しようとする課題】
【０００３】
ところが、視聴率の対象となるのは、地上波放送・ＢＳ放送・ＣＳ放送・ＣＡＴＶ等のリアルタイムの視聴のみであり、ＶＴＲ等での録画・再生による番組視聴などは視聴率に考慮されない。しかしながら、近年、大容量のＨＤＤ録画機器などで番組を録画予約し、後日再生して視聴するようなスタイルが普及してきており、リアルタイムにテレビ番組を視聴する機会が少なくなってきた。また、携帯受信機においても、予約時刻に地上デジタル放送を受信して番組を記録再生することが提案されている（特許文献１参照）。このように、番組を録画予約し、後日再生して視聴する場合は、実際に視聴しているにもかかわらず視聴率には反映されない。即ち、テレビの媒体力やテレビコマーシャルの広告効果を測る指標としての視聴率の信頼性が低下している。
【０００４】
本発明は、このような問題点に鑑みてなされたものであり、本発明の目的は、より信頼性の高い上記指標を得ることのできる放送受信装置を提供することにある。
【課題を解決するための手段】
【０００５】
上記目的を達成するため、本発明の放送受信装置は、放送番組を受信する受信手段と、ユーザによる放送番組の受信予約を受け付ける受付手段と、前記受付手段で受信予約を受け付けた放送番組の識別情報を記憶する記憶手段と、放送番組の予約率を集計するセンターに、前記記憶手段に記憶された前記識別情報を送信する送信手段と、前記識別情報の前記記憶手段への記憶、および該識別情報の前記センターへの送信を制御する制御手段とを備える。
【０００６】
前記制御手段は、前記受付手段で受信予約を受け付けた放送番組の識別情報を、前記センターへ送信するか否かをユーザに選択させることが好ましい。また、前記受付手段において、前記受信予約された放送番組の予約取り消しを受け付けると、前記制御手段は、前記受付手段で予約取り消しを受け付けた放送番組の識別情報を前記記憶手段から削除し、該放送番組の受信予約を取り消した旨の通知を前記センターに送信することが好ましい。
【０００７】
また、前記受信予約が、視聴予約であり、前記視聴予約を受け付けた放送番組が視聴されると、前記制御手段は、該放送番組が視聴された旨の通知を前記センターに送信することが好ましく、前記受信予約が、録画予約であり、前記録画予約を受け付けた放送番組が録画され、再生されると、前記制御手段は、該放送番組が録画、再生された旨の通知を前記センターに送信することが好ましい。
【０００８】
また、前記制御手段は、前記録画、再生された放送番組の再生開始日時を示す情報を前記センターに送信することが好ましい。
【発明の効果】
【０００９】
本発明の放送受信装置によれば、番組の視聴予約や録画予約が行われた時点で、集計センターに番組予約情報が送信されるため、番組の視聴状況をより正確に反映し、コマーシャルの広告効果等を測る指標として信頼性の高いデータを提供することができる。
【発明を実施するための最良の形態】
【００１０】
本発明の実施の形態について図面を参照して説明する。図１は、本発明の番組予約率調査方法が適用されるシステム構成を示す図である。図１に示すシステムは、放送サービスを提供する放送局１１と、放送サービスを受信する地上デジタル放送対応の放送受信装置１２と、放送受信装置１２から送られる番組予約情報を収集し、予約率を集計するコンピュータセンター１３とから構成される。放送受信装置１２は、番組を予約して録画する機能、予約した番組の日付、開始時間、終了時間、録画の有無などの情報を保存する機能、保存した番組予約情報をコンピュータセンター１３に送信するデータ送信機能を有する。
【００１１】
図２は、地上デジタル放送対応の放送受信装置の機能構成図である。なお、本実施の形態では、地上デジタル放送対応の放送受信装置として携帯電話機を例示して説明する。図１に示す放送受信装置は、制御部１００と、デジタル受信部１０１と、復調部１０２と、多重分離部１０３と、映像復調部１０４と、映像表示部１０５と、データ放送処理部１０６と、音声復調部１０７と、音声出力部１０８と、メモリ部１０９と、通信回線部１１０と、入力部１１１と、記録部１１２、アンテナ１１３とにより構成される。
【００１２】
放送波はアンテナ１１３で受信され、入力されたＲＦ信号は制御部１００からの周波数（チャンネル）指定命令に基づいてデジタル受信部１０１でチューニングされる。復調部１０２は周波数変換されたチャンネル信号を復調し、ＴＳ（Ｔｒａｎｓｐｏｒｔ  Ｓｔｒｅａｍ）パケットを取り出す。そして、ＴＳパケットは、多重分離部２１によってパケットＩＤに基づいてフィルタリングされ、映像パケット、音声パケット、データ放送パケットごとに振り分けられ、映像復調部１０４、データ放送処理部１０６、音声復調部１０７に出力される。映像パケットは映像復調部１０４で処理され、映像データにされて映像表示部１０５に出力される。データ放送パケットはデータ放送処理部１０６で処理され、画面表示用のデータにされて映像表示部１０５に出力される。音声パケットは音声復調部１０７で処理され、音声データにされて音声出力部１０８に出力される。映像表示部１０５は制御部１００からの制御で画面イメージを作成して表示する。
【００１３】
また、制御部１００は、デジタル放送受信アプリケーションを実行して、放送波またはＷＥＢ等から入手したＥＰＧ情報、または手入力した日付時間およびチャンネル指定から番組を視聴または録画予約し、視聴または録画予約した番組の番組ＩＤ、日付、開始時間、終了時間、録画の有無などからなる番組予約情報をメモリ部１０９に保存し、保存した番組予約情報を通信回線部１１０から回線１１４を経由してコンピュータセンターに送信する機能を有する。また、予約して受信した番組コンテンツを記録部１１２に記録保存する機能、さらに、視聴予約された番組または録画予約された番組を試聴または再生されたかどうかの情報をコンピュータセンターに送信する機能を有する。
【００１４】
次に、上述した放送受信装置の動作について説明する。図３は、ユーザがコンピュータセンターに予約率調査協力の登録処理を行うときの動作を説明する図である。ユーザが視聴／録画予約し、予約が完了した場合、放送受信装置は、予約率調査協力依頼のメッセージを画面に表示し、放送受信装置の入力部１１１からユーザの入力（許諾、拒否）を待つ。
【００１５】
ユーザが「許諾」を選択した場合、放送受信装置は、コンピュータセンターに予約率調査協力許諾の旨の応答を送信すると共に、デジタルテレビ受信機能の番組予約情報記録送信機能を有効し、予約情報を送信する。
【００１６】
ユーザが「拒否」を選択した場合、放送受信装置は、コンピュータセンターに予約率調査協力拒否の旨の応答を送信し、番組予約情報記録送信機能を無効にした状態で処理を終了する。なお、この予約率調査協力の登録処理は、１度実行されれば、以降の視聴／録画予約からは実行せず、予約処理終了後、直ちに予約情報の送信処理に入るようにすると良い。
【００１７】
図４は、ユーザがコンピュータセンターに予約率調査協力の登録解除の処理を行うときの動作を説明する図である。ユーザは放送受信装置からコンピュータセンターにアクセスして、自ら登録情報を抹消し、受信予約された番組の番組情報のコンピュータセンターへの送信を停止することができる。この時、放送受信装置は、番組予約情報記録送信機能を無効にする。
【００１８】
図５は、放送受信装置が、予約した番組の日付、開始時間、終了時間、録画の有無などの番組予約情報を保存し、保存した番組予約情報をコンピュータセンターに送信する処理を説明するフローチャートである。
【００１９】
まず、ＥＰＧ（Ｅｌｅｃｔｒｏｎｉｃ  Ｐｒｏｇｒａｍ  Ｇｕｉｄｅ）からの番組予約であるかどうかを判断し（ステップ１００）、番組予約をＥＰＧから行った場合、ＥＰＧから番組ＩＤ、日付、チャンネル、開始および終了時刻を取得し、放送受信装置のメモリ部１０９の番組予約情報テーブルに保存する（ステップ１０１）。放送受信装置の入力部１１１から手入力で番組予約を行った場合、手入力された日付、チャンネル、開始時刻、終了時刻の情報に基づいてＥＰＧ上で該当番組を特定してＥＰＧから番組ＩＤ、日付、チャンネル、開始および終了時刻を取得し、放送受信装置のメモリ部１０９の番組予約情報テーブルに保存する（ステップ１０５）。
【００２０】
次に、番組予約が、録画予約であるか視聴予約であるかどうかをユーザに選択させ（ステップ１０２）、ユーザが録画予約を選択した場合は、放送受信装置のメモリ部１０９の番組予約情報テーブルに録画モード（録画有り）を設定し（ステップ１０３）、ユーザが視聴予約を選択した場合は、放送受信装置のメモリ部１０９の番組予約情報テーブルに視聴モード（録画無し）を設定する（ステップ１０６）。図６に、番組予約情報テーブルの一例を示す。次に、コンピュータセンターに接続し、番組予約情報を送信する（ステップ１０４）。番組予約情報は、メモリ１０９に保存された後、即座にコンピュータセンターに送信しても良いし、一定時間毎または一定時刻、例えば０時００分に送信するようにしても良い。
【００２１】
本発明では、番組の視聴予約や録画予約が行われた時点で、コンピュータセンターに情報が送信されるため、番組制作者・番組編成者にとっては、番組を予約している人がどれくらいいるのかが事前にわかり、生放送番組では番組延長をするかどうかの可否判断を容易にできる等、データが活かせる。また、最も予約数の多い日時を特定する瞬間最高予約率等も得ることができ、番組予約のトリガーとなった要因を探り易くなる等の効果も期待できる。
【００２２】
図７は、ユーザが番組予約を取り消したときの処理を説明するフローチャートである。図６に示す番組予約情報を放送受信装置の画面に表示し（ステップ２００）、ユーザに予約を取り消す番組を選択させ、選択された番組の情報を番組予約情報から消去し（ステップ２０１）、予約が取り消された番組の組情報をコンピュータセンターに送信する（ステップ２０２）。
【００２３】
図８は、ユーザが予約した番組を最後まで視聴または再生したときの処理を説明するフローチャートである。視聴予約された番組が視聴開始時間から終了時間まで視聴されたかどうか、または録画された番組が録画時間分再生されて視聴されたかどうかを判断し（ステップ３００）、視聴が終了した場合または再生が終了した場合は、図６に示す番組予約情報から該当する番組の情報を消去し（ステップ３０１）、視聴が終了した番組の番組情報をコンピュータセンターに送信する（ステップ３０２）。最後まで、視聴または再生されたかどうかは、例えば、番組の最後にたてられたフラグを検出することにより、または録画時間と再生時間を比較することにより判断する。
【００２４】
また、視聴予約が行われた番組が途中まで視聴されたこと、または録画予約が行われた番組が途中まで再生されたことをコンピュータセンターに通知するようにしても良い。さらに、録画予約が行われた番組の再生が行われた時刻情報をコンピュータセンターに通知するようにしても良い。
【００２５】
これらの情報をコンピュータセンターに通知することによって、番組制作者・番組編成者は、その番組が実際に視聴されたかどうかがわかり、視聴率よりも有意義な番組情報データを得ることができる。例えば、録画予約率が高いと一般的にＣＭの視聴率は下がる、と予想することができる。特に番組のスポンサーは、番組の録画予約率が高いとＣＭが飛ばされることが予測されるので、ここでプレゼント企画を増やしたり、その場でしか参加できない（録画では応募できない）プレゼント企画等することができ、さらには録画予約を視聴予約に変えさせることができる可能性もある。特に生放送であればその効果が上がることが期待される。
【００２６】
なお、上述した実施の形態では、地上デジタル放送対応の放送受信装置について説明したが、本発明は、アナログ放送対応の放送受信装置についても適用できるものである。
【図面の簡単な説明】
【００２７】
【図１】本発明の番組予約率調査方法が適用されるシステム構成を示す図である。
【図２】地上デジタル放送対応の放送受信装置の機能構成図である。
【図３】ユーザがコンピュータセンターに予約率調査協力の登録処理を行うときの動作を説明する図である。
【図４】ユーザがコンピュータセンターに予約率調査協力の登録解除の処理を行うときの動作を説明する図である。
【図５】放送受信装置が、番組予約情報を保存し、保存した番組予約情報をコンピュータセンターに送信する処理を説明するフローチャートである。
【図６】番組予約情報テーブルの一例を示す図である。
【図７】ユーザが番組予約を取り消したときの処理を説明するフローチャートである。
【図８】ユーザが予約した番組を最後まで視聴または再生したときの処理を説明するフローチャートである。
【符号の説明】
【００２８】
１１  放送局
１２  放送受信装置
１３  コンピュータセンター
１００  制御部
１０１  デジタル受信部
１０２  復調部
１０３  多重分離部
１０４  映像復調部
１０５  映像表示部
１０６  データ放送処理部
１０７  音声復調部
１０８  音声出力部
１０９  メモリ部
１１０  通信回線部
１１１  入力部
１１２  記録部
１１３  アンテナ
１１４  回線
【図１】
2007228536.tif 000003
【図２】
2007228536.tif 000004
【図３】
2007228536.tif 000005
【図４】
2007228536.tif 000006
【図５】
2007228536.tif 000007
【図６】
2007228536.tif 000008
【図７】
2007228536.tif 000009
【図８】
2007228536.tif 000010